(57)【要約】【課題】高インピーダンス区間の特性補償ができるとともに、コネクタ全体の特性インピーダンスの整合が取れる高速信号伝送に対応した突き当て式コネクタを提供すること。【解決手段】コンタクト１１，１２と、前記コンタクト１１，１２を保持固定するインシュレータ１とを備えたコネクタ１０において、前記コンタクト１１，１２は，第１のコンタクト端子１１と、第２のコンタクト端子１２とを備えている。前記第１のコンタクト端子１１は相手側コンタクトと接続する嵌合部１１ａと、接続対象物と接続する実装端子部１１ｂと、前記嵌合部１１ａと前記実装端子部１１ｂとを接続するとともに、弾性変位するバネ部１１ｃとを備えている。前記第２のコンタクト端子１２は第１のコンタクト端子１１に対応して対向配置され、接続相手と嵌合した際、前記第２のコンタクト端子１２は第１のコンタクト端子１１の前記バネ部と接続してスタブ端子となり、かつ第２のコンタクト端子１２は前記インシュレータ１に着脱自在に保持されている。【選択図】      図３
2004363017.tif 000002
【特許請求の範囲】
【請求項１】
コンタクトと、前記コンタクトを保持固定するインシュレータとを備えたコネクタにおいて、
前記コンタクトは，第１のコンタクト端子と、第２のコンタクト端子とを備え、
前記第１のコンタクト端子は相手側コンタクトと接続する嵌合部と、接続対象物と接続する実装端子部と、前記嵌合部と前記実装端子部とを接続するとともに、弾性変位するバネ部とを備え、
前記第２のコンタクト端子は第１のコンタクト端子に対応して対向配置され、
接続相手と嵌合した際、前記第２のコンタクト端子は第１のコンタクト端子の前記バネ部と接続してスタブ端子となり、かつ第２のコンタクト端子は前記インシュレータに着脱自在に保持されていることを特徴とするコネクタ。
【請求項２】
請求項１記載のコネクタにおいて、前記第２のコンタクト端子は第１のコンタクト端子のバネ部と接続する弾性接触部を有したことを特徴とするコネクタ。
【発明の詳細な説明】
【０００１】
【発明の属する技術分野】
本発明は、高速伝送化を図った高速伝送対応コネクタに関し、詳しくは、モバイル機器（携帯電話やＰＤＡ等）におけるインターフェースコネクタにおいて，突き当て式タイプ（パットタイプ）を有する狭ピッチの高速伝送対応突き当て式コネクタに関する。
【０００２】
【従来の技術】
従来、この種のコネクタとしては、例えば、特許文献１に開示されたものがある。
【０００３】
図５はこの特許文献１に開示された従来のコネクタを示す断面図、図６（ａ）及び（ｂ）は図５のコネクタの嵌合動作の説明に供せられる断面図である。ここで、図５は雄コネクタ３０と雌コネクタ４０とが嵌合される前のコネクタを示している。雄コネクタ３０は絶縁体３２にピン状の雄コンタクト３１が植設されている。また、雌コネクタ４０は、絶縁性のハウジング４２に雌コンタクト４１を構成する接触バネ片４３と端子片４４とが配設されている。接触バネ片４３は、周知のように、弾性を有する金属板、例えばリン青銅板から帯状に打ち抜き曲げ加工を施すことにより形成される。
【０００４】
即ち、接触バネ片４３はハウジング４２に固定される基端部４３ａと、基端部４３ａの一端側延長部分を折り返した後基端部４３ａから遠ざかる方向に延伸する摺動バネ部４３ｂと、摺動バネ部４３ｂの先端に形成された接点部４３ｃから成る。接点部４３ｃは摺動バネ部４３ｂの先端を基端部４３ａ側に近付く方向へ折り曲げ延出し、その先端部を逆方向に折り曲げることにより基端部４３側に突出する接点４３ｅを設けている。
【０００５】
尚、上述した接触バネ片４３の図中斜線で示す基端部４３ａ及び摺動バネ部４３ｂの表面には、例えばニッケル、パラジウム等の耐摩耗性に優れた材料によってメッキ、又はクラッド処理が施されている。又、接触バネ片４３の接点部４３ｃには、アーク放電による溶融を防ぐ為、例えば白金合金等の高耐熱性の材料によってメッキ又はクラッド処理が施されている。一方、端子片４４は導電材料からなる帯板状で接触バネ片４３の接点４３ｅに接触する接触部４４ａと、ハウジング４２に取り付けられる固定部４４ｂと、プリント基板等に接続される端子部４４ｃとを一端から順に一体形成されている。尚、端子片４４の接触部４４ａ部分にも、アーク放電による溶融を防ぐため白金合金等によりメッキ、又はクラッド処理が施されている。次に、上記接触バネ片４３及び端子片４４を配設するハウジング４２は、絶縁材料により略直方体形状に成形されたものであり、その前面には、雄コネクタ３０が嵌合される凹部４２ａを設けている。凹部４２ａの下側の側壁４２ｂには、接触バネ片４３の基端部４３ａが圧入される貫通孔４２ｃを長手方向に配設している。又、側壁４２ｂに近接する凹部４２ａの底壁４２ｄには、端子片４４の固定部４４ｂが圧入される貫通孔４２ｅを側壁４２ｂの貫通孔４２ｃに対向させ、且つ、側壁４２ｂの内面に沿うように配設している。次に、接触バネ片４３と端子片４４をハウジング４２に組み込む際、端子片４４はハウジング４２の後面から貫通孔４２ｅに、接触部４４ａ側を先にして挿入される。この為、端子片４４は側壁４２ｂの内壁面上に接触部４４ａを位置させ、且つ、端子部４４ｃをハウジング４２の後面から突出させた状態で固定部４４ｂが貫通孔４２ｅに圧入される。接触バネ片４３は摺動バネ部４３ｂを上方に向け、且つ、基端部４３ａを先にしてハウジング４２の凹部４２ａ側より貫通孔４２ｃに挿入し、基端部４３ａを貫通孔４２ｃに圧入する。その場合、接触バネ片４３は接触部４３ｃの接点４３ｅを端子片４４の接触部４４ａに対向させると共に、自己の弾性力によって端子片４４の接触部４４ａから接点４３ｅを離反させた状態で、ハウジング４２の凹部４２ａ内に取り付けられる。
【０００６】
このような従来技術による雌コネクタ４０に雄コネクタ３０を嵌合させるには、図５の如く雄、雌コネクタ３０、４０同士を向い合わせた後、図６（ａ）に示す様に雄コネクタ３０の雄コンタクト３１を雌コネクタ４の凹部４２ａ内に挿入して行く。この為、挿入過程において、先ず、雄コンタクト３１が接触バネ片４３の摺動バネ部４３ｂに当接するが、この時、接触バネ片４３の接点部４３ｃと端子片４４の接触部４４ａは離れた状態にあるので、雄コンタクト３１と摺動バネ部４３ｂとの間にアーク放電を生じることはない。その後、更に挿入を進めて行くと、雄コンタクト３１は摺動バネ部４３ｂの板面上を摺接して摺動バネ部４３ｂを下方へ弾性偏位させ、接点４３ｅを端子片４４の接触部４４ａに接触し、雄、雌コネクタ３０、４０間が通電状態になる。最終的には、図６（ｂ）に示すように、雄コンタクト３１の先端部分が摺動バネ部４３ｂの先端に続く湾曲部４３ｄを乗り越えたところで、雄、雌コネクタ３０、４０間の嵌合が終了する。この様に従来技術によるコネクタでは、雄コネクタ３０の雄コンタクト３１が雌コネクタ４の接触バネ片４３の摺動バネ部４３ｂに摺接した後これとは別の位置に設けた接点４３ｅが端子片４４に接触するようになっている。従って、雄コンタクト３１は摺動バネ部４３ｂに摺接するだけでその間にアーク放電が生じることはない。この為、周知の様なアーク放電と摺接摩耗との相乗効果により摺動バネ部４３ｂが早期に損傷劣化して接続信頼性が低下するおそれはない。
【０００７】
【特許文献１】
実開平５−９７０９４号公報
【０００８】
【発明が解決しようとする課題】
しかしながら、従来技術による高速伝送用のコネクタにおいて、信号端子の伝送路断面インピーダンスがコネクタ内で単一で整合がとれていれば理想的であるが、コネクタ設計上困難であった。例えば、通常のバットタイプのコネクタの場合、バネ部全体を誘電体（インシュレータ）で囲まれない等により、端子バネ部の特性インピーダンスが高い傾向にある為、コネクタとしてのインピーダンス整合が難しい。従って、インピーダンスを下げるために、伝送路断面積を大きくすれば良いが、コンタクトの狭ピッチ化が難しくなる上、バネ条件も設定することが困難である。
【０００９】
また、従来のコネクタにおいて、接触がバット方式であることから、バネ部を短くし特性インピーダンスの影響を小さくするにも限界がある。
【００１０】
一方、特許文献１によるコネクタでは、スタブ端子として用いる場合、端子長さを考えることができず、インピーダンスの整合に制約がある。
【００１１】
そこで、本発明の一技術的課題は、高インピーダンス区間の特性補償ができるとともに、コネクタ全体の特性インピーダンスの整合が取れる高速信号伝送に対応したコネクタを提供することにある。
【００１２】
また、本発明のもう一つの技術的課題は、前記高速伝送対応に対応したコネクタで突き当て式のコネクタを提供することにある。
【００１３】
【課題を解決するための手段】
本発明によれば、コンタクトと、前記コンタクトを保持固定するインシュレータとを備えたコネクタにおいて、前記コンタクトは，第１のコンタクト端子と、第２のコンタクト端子とを備え、前記第１のコンタクト端子は相手側コンタクトと接続する嵌合部と、接続対象物と接続する実装端子部と、前記嵌合部と前記実装端子部とを接続するとともに、弾性変位するバネ部とを備え、前記第２のコンタクト端子は第１のコンタクト端子に対応して対向配置され、接続相手と嵌合した際、前記第２のコンタクト端子は第１のコンタクト端子の前記バネ部と接続してスタブ端子となり、かつ第２のコンタクト端子は前記インシュレータに着脱自在に保持されていることを特徴とするコネクタが得られる。
【００１４】
また、本発明によれば、前記コネクタにおいて、前記第２のコンタクト端子は第１のコンタクト端子のバネ部と接続する弾性接触部を有したことを特徴とするコネクタが得られる。
【００１５】
【発明の実施の形態】
以下、本発明の実施の形態について図面を参照しながら説明する。
【００１６】
図１は本発明の第１の実施の形態による高速伝送対応コネクタの斜め正面側から眺めた斜視図である。図２は本発明の第１の実施の形態による高速伝送対応コネクタの斜め背面側から眺めた斜視図である。図３（ａ）は図１の高速伝送対応コネクタの断面図、図３（ｂ）は（ａ）の高速伝送対応コネクタのＡ部分の拡大図である。
【００１７】
図１を参照すると、本発明の第１の実施の形態によるコネクタ１０は、例えば、携帯電話やＰＤＡ等のモバイル機器におけるインターフェースコネクタに用いられ、突き当て式タイプ（バットタイプ）を有する高速伝送対応突き当て式コネクタ（以下、単にコネクタと呼ぶ）である。
【００１８】
コネクタ１０は、箱型の合成樹脂等の絶縁材料もしくは誘電体材料からなるインュレータ１と、インシュレータ１の周囲に設けられた金属製のシェル５と、インシュレータ１内に収容支持されるメイン信号伝送用の第１のコンタクト端子１１と、第１のコンタクト端子に接触可能な第２のコンタクト端子１２とを備えている。
【００１９】
図１乃至図３（ａ）に示されるように、インシュレータ１は、箱型で前端面１ｃの左右近傍には、高さ方向に設けられた角柱部１ａと、角柱部１ａを含む前面１ｃの下部から前方に向かって突出した先の尖った角柱状の突出部２と、突出部２間に嵌合孔３ａが幅方向に並んで設けられた嵌合部４を備えている。この嵌合孔３ａは後端に移動するにつれて次第に上面が高くなり、インシュレータ１の天井面近傍で後端に至り、開口１ｅとなっている。
【００２０】
インシュレータ１の側部の角柱部１ａと側部１ｂとの間には、縦溝が形成されている。インシュレータ１の上下面、両側面を覆うシェル５は、前端面５ｃの両側が突出部に沿って突出して、この突出部を覆うシェル突出部６を構成している。シェル突出部間は開口しており、嵌合端部が露出した形状となっている。シェル側面５ｆは下方に突出する基板の孔部に挿入される突出部５ｅと、基板表面に当接するように、両側に突出したＬ字状の実装部５ｄを有している。尚、切り込みｇは切り込み片を形成し、インシュレータ１と、シェル２とのずれを防止するために設けられている。
【００２１】
図１乃至図３（ａ）に示されるように、インシュレータ１内に設けられたコンタクト収容部１ｆに、嵌合孔３ａからコンタクト収容部１ｆを通り開口１ｅの下部から露出した夫々バネ性を備え、導電性を備えた細長い第１のコンタクト端子１１が設けられている。コンタクト収容部１ｆ内の第１のコンタクト端子よりも上方で、且つコンタクト収容部１ｆの天井面には、バネ性を備え、導電性を備えた細長い第２のコンタクト端子１２が設けられている。
【００２２】
第１のコンタクト端子１１は、一端に嵌合部１１ａ、他端に実装端子部１１ｂこれらを接続する台形状のバネ部１１ｃとを備えている。
【００２３】
嵌合部１１ａは、前方から延びて下側に折れ曲がり、後方に延在するＵ字形状に形成されている。
【００２４】
バネ部１１ｃは、嵌合部１１ａから連続してコンタクト収容部１ｆの前内壁面に沿ってのび、天井面の付近で後方に折れ曲がり、天井面に沿って後方に伸び、下側に折れ曲がり、さらに、４角形をなすように延びてコンタクト収容部１ｆの底面に突き当たっている。
【００２５】
実装端子部１１ｂは、バネ部の終端から折れ曲がって後方に延び、開口付近から外方に露出して下方に折れ曲がり、さらに、取り付けられる基板２０に平行となるように折れ曲がって後方に延びてこれに接触するように、形成されている。
【００２６】
また、第２のコンタクト端子１２は、コンタクト収容部１ｆの開口１ｅから内部に天井面にそって、前方に行くにしたがって次第に天井面とはなれるように形成され、更に先端は、上方に折れ曲がった接点部１２ａを形成するスタブ端子からなる。
【００２７】
図３（ａ）及び図３（ｂ）に最も良く示されるように、雄コネクタ３０１（図５，図６参照）と、高速伝送対応コネクタ１０との嵌合状態においては、二点鎖線に示すように、嵌合部１１ａが下方に折れ曲がるように撓み、それによって、バネ部１１ｃが上方に移動してスタブ端子からなる第２のコンタクト端子１２の接点部１２ａと、バネ部１１ｃの上面の接触部１１ｅとが接触する。
【００２８】
このような構成の本発明の第１の実施の形態によるコネクタ１０は、バットタイプでありながら、各コンタクトのコンタクト収容部１ｆがコンタクトに対応して独立に設けられているので、互いに隣合うコンタクトが接触することがなく、狭いピッチのコネクタを提供することができる。
【００２９】
ここで、主にコネクタの接触方式は、ストロークタイプ方式と突き当てタイプ（以下、バットタイプ）の２種類に大きく分けられる。
【００３０】
狭ピッチのコネクタのバットタイプの場合、限られたスペースの中で信号端子には、十分なバネ性が求められる為、その端子形状は複雑化し、伝送経路も長くなって、特性インピーダンスの不整合つまり高速伝送対応が困難となってくる。
【００３１】
本発明の第１の実施の形態によるコネクタでは、相手側の雄コネクタと実際に接触を行う接触面と基板への実装面を有するメインの信号端子である第１のコンタクト端子１１以外に、整合をとるために、第１のコンタクトの接触部と接触する別端子である第２のコンタクト端子１２を設けている。
【００３２】
本発明の第１の実施の形態によるコネクタ１０の動作について説明する。
【００３３】
コネクタ１０が雄コネクタと嵌合すると、第１のコンタクト端子１１と第２のコンタクト端子１２とが接触を行う。これにより、第２のコネクタ端子１２がスタブの役目を果たし、第１のコンタクト端子１２のバネ部１１ｃの特性インピーダンスの整合つまり高速伝送対応化が可能となる。
【００３４】
また、本発明の第１の実施の形態によるコネクタ１０の第２のコンタクト端子１２は特性インピーダンスの整合ができる様、端子長さ（スタブ長さ）を自由に調整できる。
【００３５】
図４（ａ）は本発明の第２の実施の形態によるコネクタの断面図、図４（ｂ）は図４（ａ）のコネクタの部分拡大断面図である。
【００３６】
図４（ａ）及び（ｂ）を参照すると、本発明の第２の実施の形態によるコネクタ１０´は、第１の実施の形態によるコネクタ１０とは、スタブ端子である第２のコンタクト端子１２の形状が異なる他は同様の構成を備えている。即ち、第２のコンタクト端子１２は、バネ性をもたず、平らで、パッド性を備えている。この第２の実施の形態によるコネクタ１０´が雄コネクタと嵌合する際には、第１の実施の形態と同様に、第１のコンタクト端子１１のバネ部１１ｃが変形し、接触部１１ｅが上方に移動して、コンタクト収容部１ｅの天井面に固定された第２のコンタクト端子の下面の接触パッド面に接触するものである。このような構成の本発明の第２の実施の形態によるコネクタ１０´も第１の実施の形態と同様に、コネクタ１０´が雄コネクタと嵌合すると第１のコンタクト端子１１と第２のコンタクト端子１２とが接触を行う。これにより、第２のコネクタ端子１２がスタブの役目を果たし、第１のコンタクト端子１１のバネ部１１ｃの特性インピーダンスの整合つまり高速伝送対応化が可能となる。
【００３７】
また、本発明の第２の実施の形態によるコネクタでは、第２のコンタクト端子１２は特性インピーダンスの整合ができる様、端子長さ（スタブ長さ）を自由に調整することができる。
【００３８】
【発明の効果】
以上説明したように、本発明によれば、相手側コネクタと実際に接触を行う接触面と基板への実装面を有するメイン信号端子である第１のコンタクト端子以外に第２のコンタクト端子を設け、第１のコンタクト端子と第２のコンタクト端子とが接触する。この第２のコンタクト端子２はスタブの役目を果たし、高インピーダンス区間の特性補償が可能となる。これにより、コネクタ全体の特性インピーダンスの整合がとれる。この第２のコンタクト端子は、端子長さ（スタブ長）が変えられる為、如何なるインピーダンスにも整合が取れる高速伝送コネクタを提供することができる。
【図面の簡単な説明】
【図１】図１は本発明の第１の実施の形態による高速伝送対応コネクタの斜め正面側から眺めた斜視図である。
【図２】本発明の第１の実施の形態による高速伝送対応コネクタの斜め背面側から眺めた斜視図である。
【図３】（ａ）は図１の高速伝送対応コネクタの断面図である。
（ｂ）は（ａ）の高速伝送対応コネクタのＡ部分の拡大図である。
【図４】（ａ）は本発明の第２の実施の形態によるコネクタの断面図である。
（ｂ）は図４（ａ）のコネクタの部分拡大断面図である。
【図５】特許文献１に開示された従来のコネクタを示す断面図である。
【図６】（ａ）及び（ｂ）は図５のコネクタの嵌合動作の説明に供せられる断面図である。
【符号の説明】
１    インシュレータ
１ａ    角柱部
１ｂ    側部
１ｃ    前端面
１ｅ    開口
１ｆ    収容部
２    突出部
３ａ    嵌合孔
５    シェル
５ｃ    前端面
５ｄ    実装部
５ｅ    突出部
５ｆ    シェル側面
５ｇ    切り込み
１０、１０´    コネクタ
１１    第１のコンタクト端子
１１ａ    嵌合部
１１ｂ    実装端子部
１１ｃ    バネ部
１１ｅ    接触部
１２    第２のコンタクト端子
１２ａ    接点部
３０    雄コネクタ
３１    雄コンタクト
３２    絶縁体
４０    雌コネクタ
４１    雌コンタクト
４２    ハウジング
４２ａ    凹部
４２ｂ    側壁
４２ｃ    貫通孔
４２ｄ    底壁
４２ｅ    貫通孔
４３    接触バネ片
４３ａ    基端部
４３ｂ    摺動バネ部
４３ｃ    接点部
４３ｅ    接点
４４    端子片
４４ａ    接触部
４４ｂ    固定部
４４ｃ    端子部
【図１】
2004363017.tif 000003
【図２】
2004363017.tif 000004
【図３】
2004363017.tif 000005
【図４】
2004363017.tif 000006
【図５】
2004363017.tif 000007
【図６】
2004363017.tif 000008